(57)【特許請求の範囲】
【請求項１】
パチンコ球が通過する一条のパチンコ球通過通路のパチンコ球の通過方向と直交する面内に少なくとも２つの球計数用センサを設けるとともに、該球計数用センサから球通過信号が常に同等に発信されることを監視するセンサ作動状態監視部を設けてなることを特徴としたパチンコ遊技機の払出球検出装置。
【請求項２】
パチンコ球が通過する一条のパチンコ球通過通路に光学式の球計数用センサを少なくとも２つ光軸がパチンコ球の通過方向と直交する面内にて交差するように配置するとともに、該球計数用センサから球通過信号が常に同等に発信されることを監視するセンサ作動状態監視部を設けてなることを特徴としたパチンコ遊技機の払出球検出装置。
【請求項３】
球払出装置の払出ロータによる拘束を解かれた直後のパチンコ球を検知し得るように球計数用センサをパチンコ球通過通路に設けた請求項１または２に記載のパチンコ遊技機の払出球検出装置。
【発明の詳細な説明】
【０００１】
【発明の属する技術分野】
本発明は、パチンコ遊技機における球払出装置にパチンコ球通過通路に設けられ払出球数を検出する装置に関するものである。
【０００２】
【従来の技術】
パチンコ遊技機の球払出装置は、周知のように入賞球検出信号が球払出制御回路に入力されると、モータにより払出ロータが回転してパチンコ球が打球供給皿に払い出され、光学式，電磁式等の球計数用センサにより所定数のパチンコ球が計数されるとその信号がフィードバックされることにより該モータを停止させる構造となっている。
【０００３】
ところで、近時のパチンコ遊技機は大当たりが出ると賞球を短時間に集中的に払い出す必要があるので、その球払出装置には一段と高速化が要求される。例えば１分間の払出個数として７００〜８００個以上可能であることが要求される。そのために払出ロータを高速回転させている。
【０００４】
また一般にＣＲ機と称されているカード式パチンコ遊技機は、遊技機本体の隣にカード式球貸出機が一体的に設けられ、所定のプリペイドカードを挿入して球貸出要求スイッチを操作すると、遊技機本体の球払出装置が作動し所定数のパチンコ球が打球供給皿に直接払い出されるように構成されている。即ち、遊技機本体内に設けられた球払出装置は、入賞球検出信号に反応してパチンコ球を賞球として払い出すという本来の機能に加えて、カード式球貸出機から発信された球貸出要求信号にも反応しパチンコ球を貸球としても払い出せるように構成され、入賞球検出信号があった場合は球払出制御回路は球払出装置を作動させ球計数用センサから例えば１５回パルス信号を受けると該球払出装置を停止させることによって１５個のパチンコ球が払い出され、球貸出要求信号があった場合は球払出制御回路は球払出装置を作動させ球計数用センサから例えば２５回パルス信号を受けると該球払出装置を停止させることによって２５個のパチンコ球が払い出されるようにしている。
【０００５】
【発明が解決しようとする課題】
ところで、上記球払出装置ではそのパチンコ球通過通路に設けられた球計数用センサが、例えばゴミが付着するなど何らかの原因でパチンコ球を検出できなくなると、従来では払い出しが不能になりこのパチンコ遊技機の使用を中断せざるを得なくなるものであった。このためそうした故障が遊技者とのトラブルを発生させるおそれがあった。
【０００６】
また、従来の球払出装置では遊技者が不正の目的をもって細い針金等をパチンコ遊技機に中に進入させ、球計数用センサにパチンコ球を検知しないようにすることで、多数の賞球を奪うような不正行為がなされるおそれがあった。
【０００７】
また、上記従来のカード式パチンコ遊技機は、賞球も貸球も同じ球計数用センサからのパルス信号により計数するものであったので、次のような問題があった。即ち、一般にパチンコ遊技機は、工場出荷時、あるいは使用途中等に、自動で打球を長時間にわたり発射させて賞球数等を計数する検査を行っており、カード式パチンコ遊技機の場合、検査の途中で打球が無くなると球貸出要求スイッチを操作し打球供給皿に打球を適宜補給するようにしているが、上記のように賞球の場合も貸球の場合も同一の球計数用センサから得られるパルス信号によってパチンコ球を計数するように構成していると、その球計数用センサから得られるパルス信号をデジタルカウンタ等の計器で計数しても、その計数値には入賞によるものと球貸出要求信号によるものとがあって両者を区別できないので、そのパチンコ遊技機の特性を正確に測定できないという問題があった。
【０００８】
そこで本発明の第一の目的は、何らかの原因で１つの球計数用センサがパチンコ球を検出不能になっても支障なくパチンコ球の払い出しを継続し得るようにするものである。
また本発明の第二の目的は、不正行為によるパチンコ球の払出異常を防止せんとするものである。
また本発明の第三の目的は、検査に際して賞球と貸球とが夫々別々に計数し得るようにするものである。
さらにまた本発明の第四の目的は、払い出しの高速化に応えられるように払出ロータを高速回転させた際に発生しがちであるパチンコ球の過剰な払い出しを防止し得るようにするものである。
【０００９】
【課題を解決するための手段】
そのために本発明に係るパチンコ遊技機の払出球検出装置は、パチンコ球が通過する一条のパチンコ球通過通路のパチンコ球の通過方向と直交する面内に少なくとも２つの球計数用センサを設けるとともに、該球計数用センサから球通過信号が常に同等に発信されることを監視するセンサ作動状態監視部を設けてなることを特徴とする。
また本発明に係るパチンコ遊技機の払出球検出装置は、パチンコ球が通過する一条のパチンコ球通過通路に光学式の球計数用センサを少なくとも２つ光軸がパチンコ球の通過方向と直交する面内にて交差するように配置するとともに、該球計数用センサから球通過信号が常に同等に発信されることを監視するセンサ作動状態監視部を設けてなることを特徴とする。
また本発明は上記パチンコ遊技機の払出球検出装置において、球払出装置の払出ロータによる拘束を解かれた直後のパチンコ球を検知し得るように球計数用センサをパチンコ球通過通路に設けたことを特徴とする。
【００１０】
【発明の実施の形態】
次に図面に従い本発明の実施の形態をカード式パチンコ遊技機について説明する。図１はこのパチンコ遊技機の正面図、図２はその裏面図である。図中、１は遊技機本体、２は該遊技機本体に隣接するように設けられた薄型のカード式球貸出機である。３は複数の入賞口１０およびディスプレイ装置１１等が設けられた遊技盤、４は打球発射ハンドル、５は打球供給皿、６は景品球貯溜皿である。また、７は球貸出機２の前面の設けられたカード挿入口、８は該球貸出機２に設けられた球貸出要求スイッチ、９はカード返却スイッチである。
【００１１】
また、１５は遊技機本体裏面に設けられた景品球タンク、１６は該景品球タンク１５と整流樋１７を介して連通している球払出装置、１８は該球払出装置を作動させる球払出制御回路が設けられたコントロール基板、１９は該球払出装置１６から払い出されたパチンコ球を打球供給皿５に排出させる球誘導樋、２０は打球発射装置、２１は遊技制御回路基板、２２は前記入賞口１０に入賞したパチンコ球を集合させる入賞球集合ケース、２３は該入賞球集合ケースの下端部に設けられ入賞球検出信号をコントロール基板１８の球払出制御回路に発信する入賞球検出スイッチである。
【００１２】
図３はコントロール基板１８中に設けられた球払出制御回路２４の入出力信号系を示したブロック図である。同図に示したように該球払出制御回路２４には、前記球貸出要求スイッチ８から球貸出要求信号が入力されるとともに、前記入賞球検出スイッチ２３から入賞球検出信号が入力される。
【００１３】
また、該球払出制御回路２４は駆動回路２５に制御信号を出力し前記球払出装置１６のモータ２６を駆動しパチンコ球通過通路に設けられたスクリュー形の払出ロータ２７を回転させパチンコ球をその回転数に従い打球供給皿５に払い出す。
【００１４】
図４〜図６にこの球払出装置１６の構造を示す。この球払出装置１６は、プラスチック製のケース５０にモータ２６をその回転軸が鉛直なるように固着し、該回転軸に払出ロータ２７を垂下状に固着し、該払出ロータ２７の一側にパチンコ球通過通路５１を形成し、該通路の上方は通路５２をクランク形折曲状に形成し、該通路にパチンコ球５３が前記景品球タンク１５から流下してくるようにしている。そして該通路５１の下端は開放され前記打球供給皿５と連通している。
【００１５】
５４は該通路５１下端の筒部３４外周に固着されるセンサ用の取付枠である。該取付枠５４は図７に示したように略正方形状の本体５５とプリント基板５６と蓋体５７とからなり、プリント基板５６の相対する２辺に投光器２８ａと受光器２８ｂとからなる貸球計数用センサ２８が実装され、他の相対する２辺に投光器２９ａと受光器２９ｂとからなる賞球計数用センサ２９が実装される。５８は該各センサに導通するコネクタである。また、本体５５は該各投光器および受光器が収まる４つ箱部５９が各辺に形成され、該各箱部の一側壁５９ａにスリット状の切込５９ｂを形成するとともに該側壁５９ａの内面に投光器２８ａ，２９ａ，受光器２８ｂ，２９ｂの下縁部に係合し得る位置決用突起５９ｃが形成されているほか、前面および背面に延びる複数の弾性取付片６０，６１が一体に形成されている。該プリント基板５６は本体５５の背面より装入され、さらにその背面に蓋体５７を被せ弾性取付片６１により止着している。そしてこの取付枠５４を筒部３４に形成された係合孔３５に弾性取付片６０を係合させることにより固着することにより、貸球計数用センサ２８の光軸６２と賞球計数用センサ２９の光軸６３とがパチンコ球５３の通過方向と直交する面内にて交差するように配置する。しかも該光軸６２，６３は払出ロータ２７の下端部の直下に位置し、払出ロータ２７による拘束を解かれた直後のパチンコ球を検知し得るようにしている。
【００１６】
このように投光器２８ａ，受光器２８ｂ，投光器２９ａ，受光器２９ｂをパチンコ球通過方向と直交する一平面内に設けることにより、この２つの球計数用センサが通過するパチンコ球を同時に検出し、或いはその検出時間差を非常に少ないものとすることができる。このため検出時期が早すぎること、あるいは遅いことに起因するモータ２６，払出ロータ２７の停止時期の乱れによるパチンコ球の払い出し不足または過剰が防止されるとともにモータ制御回路の構成も簡単化できる。
【００１７】
また２つの球計数用センサの光軸６２，６３が球通路の中央で交差するように設けたことによって、例えば遊技者が不正の目的をもって針金のようなものをパチンコ遊技機裏面に進入させ光軸を遮ることにより該センサの作動を停止させようとしても、中央にその針金の先を位置させなければ両光軸を遮ることは困難であるので、そのような不正行為はほぼ完全に防ぐことができる。
【００１８】
そして、該貸球計数用センサ２８および賞球計数用センサ２９は、図３に示したように球払出制御回路２４からの切替信号によって作動する入力切替手段３０を介して該球払出制御回路２４に接続されている。３１は貸球計数用センサ２８および賞球計数用センサ２９から発信される球通過信号を常時検知するセンサ作動状態監視部で、該センサ作動状態監視部はこの２つの球計数用センサ２８，２９から発信される球通過信号が常に同等に計数されていることを監視し、これに異常があったときは異常報知ランプ３３を点灯させるとともにその異常状態を外部に通知する。また該センサ作動状態監視部は２つの球計数用センサ２８，２９うちの一方の球計数用センサから球通過信号が検知されなくなると入力切替手段３０に切替信号を出し、２つの球計数用センサ２８，２９のうちのいずれか球通過信号が検知されている球計数用センサからの球通過信号が球払出制御回路２４に受信されるようにする。なお、３２はセンサ作動状態監視部３１に球計数用センサ２８，２９からの球通過信号の検知状態を表示するために設けられた青，黄，赤の３つのＬＥＤからなる作動状態表示手段である。
【００１９】
また、２つの球計数用センサ２８，２９によってパチンコ球の通過を検知するものであるから、その検知状態の異常を容易に判定することができ、即時その異常を報知するとともに、一方の球計数用センサが故障であるような場合に一時的には継続して景品球等の払い出しが継続され遊技を途中でやめなければならないようなことが回避される。
【００２０】
図８はこのセンサ作動状態監視部３１の作動をフローチャートにて示すもので、ステップ（イ）にて貸球計数用センサ２８からの球通過信号の有無が捜索され、ステップ（ハ）にて賞球計数用センサ２９からの球通過信号の有無が捜索され、ステップ（ロ）（ニ）にてそれが夫々記憶され、ステップ（ホ）にてその両信号の一致性、即ち、パチンコ球通過通路を１つのパチンコ球が通過したことによって検出された信号であることが検証され、一致した場合は両球計数用センサ２８，２９が正常に作動していると判定されてこのループを繰り返す。また一方の球計数用センサからだけ球通過信号があったときのように両信号が一致しない場合は、ステップ（ト）に移行し、貸球計数用センサ２８からの球通過信号のみが記憶されている場合はステップ（チ）にて該貸球計数用センサ２８をパチンコ球を検出するセンサとして専用にし他方の賞球計数用センサ２９は使用せず、その反対に賞球計数用センサ２９からの球通過信号のみが記憶されている場合はステップ（リ）にてパチンコ球を検出するセンサとして賞球計数用センサ２９を専用にし他方の貸球計数用センサ２８は使用しないように、夫々前記入力切替手段３０に切替信号を出す。
【００２１】
このため、一方の球計数用センサがゴミが付着するなど何らかの原因で故障しパチンコ球を検出しなくなった場合に、他方の正常な球計数用センサが即時にその代行を果たすようになり、検出不良によりパチンコ球を払い出しできなくなる事体が回避される。また、作動状態表示手段３２は、両球計数用センサ２８，２９がいずれも正常に作動している場合は青色のＬＥＤを点灯させ、一方のセンサからのみ球通過信号が得られている状況では黄色のＬＥＤを点灯させ、全く球通過信号が得らない状況では赤色のＬＥＤを点灯させることで、黄色のＬＥＤが点灯した時点での点検，修理を促す。
【００２２】
また図９は球貸出要求信号または入賞球検出信号が球払出制御回路に入力されることにより作動する球払出装置１６のモータ２６の回転数の変動をグラフにして示したもので、球貸出要求信号が入力され２５個のパチンコ球を払い出すタスクを受けた場合、貸球計数用センサ２８がパチンコ球を２３個計数した時点で該球払出制御回路からモータ２６に減速指令が出され、該モータ２６は低速回転に切り替えられ随時停止態勢となる。そして貸球計数用センサ２８が２５個目のパチンコ球を計数すると即時に停止し得る。また、入賞球検出信号が入力され例えば１５個のパチンコ球を払い出すタスクを受けた場合、賞球計数用センサ２９がパチンコ球を１３個計数した時点で該球払出制御回路からモータ２６に減速指令が出され、該モータ２６は低速回転に切り替えられ随時停止態勢となる。そして賞球計数用センサ２９が１５個目のパチンコ球を計数すると即時に停止し得る。このように、貸球計数用センサ２８または賞球計数用センサ２９による計数値がそのタスクを完了する前にモータ２６は低速回転に切り替えられ随時停止態勢になることで、計数値がそのタスクに達したときに、惰性による払出ロータ２７の過剰回転を防いでモータ２６を即時停止させることができる。これによって払出ロータ２７を高速回転させても過剰な払い出しを確実に防止することができる。
【００２３】
また図１０に示したフローチャートは、入賞，球貸入力動作ルーチンであって、ステップａにて球貸出要求スイッチ８からの球貸出要求信号が検知されるとステップｂにてその要求回数Ｙがレジスタに記憶され、ステップｃにては入賞球検出スイッチ２３からの入賞球検出信号が検知されるとステップｄにてその検出数Ｎがレジスタに記憶される。
【００２４】
図１１は図１０と並行処理される払出制御ルーチンであって、ステップｅにて球貸出要求信号の記憶が有るかどうかが検出され、有る場合はステップｆ，ｇに移行し前記入力切替手段３０に切替信号を出力することによって貸球計数用センサ２８からの球通過信号が球払出制御回路に受信されるようにする。そしてステップｈにて払出球数が２５個にセットされステップｉにて図１１に示す払出処理が実行された後、ステップｊにて要求回数Ｙが減数される。またステップｅにて球貸出要求信号の記憶が検出されない場合はステップｋにて入賞球検出信号の記憶の有無が検出されその記憶が有る場合はステップｌ，ｍに移行し入力切替手段３０に切替信号を出力することによって球払出制御回路に賞球計数用センサ２９からの球通過信号が受信されるようにする。そしてステップｎにて払出球数が１５個にセットされステップｏにて図１１に示す払出処理が実行された後、ステップｐにて入賞球検出数Ｎが減数される。
【００２５】
図１２に示した払出処理ルーチンは、ステップｑにて払出数計数値がゼロに設定され、ステップｒにて球払出装置２４のモータ２６を作動させパチンコ球の払い出しを開始する。そしてステップｓ，ｔ，ｕを循環することによって貸球計数用センサ２８または賞球計数用センサ２９からのパルス信号が逐次計数されその払出球計数値が前記ステップｎまたはステップｈにて設定された払出球数に達するとステップｖにてモータ２６を停止させる。これによって貸球または賞球として夫々所定個数のパチンコ球が払い出され、以下このフローが繰り返される。一方所定時間内に球通過信号がない場合はステップｗよりステップｘに移行し異常終了となる。
【００２６】
このように貸球と賞球とが夫々別々のセンサによって検出されるようにすることで、このパチンコ遊技機を検査するにあたっては、該各センサから得られるパルス信号をデジタルカウンタ等の計器で計数することによって、その計数値を入賞によるものと球貸出要求信号によるものとに区別して測定できる。このため、検査中に打球を補給するため球貸出要求スイッチ８を適宜操作しても計数される賞球数に影響を与えることなくそのパチンコ遊技機の特性を正確に測定できるようになる。また、故障や違法な改造の有無等についても発見が容易になる。
【００２７】
なお、球払出装置については従来からモータ式，ソレノイド式，横形，竪形、自重落下型等、種々の形態が知られている。また球計数用センサについては光学式のほか、電磁式，静電容量式等の検知形式を想定することもできる。またその配置位置についてもこの実施形態に示したもののほか種々の形態を想定し得る。
【００２８】
ちなみに、図１３に示した球払出装置は、景品球タンク１５から連なる屈曲状のパチンコ球通過通路７０に枢軸７１よって回転自在に支持されたフリッカ７２を設け、該フリッカをソレノイド７３の作動により該通路７０中に出没動するようにし、該フリッカの近くに前記取付枠５４に取付けられた貸球計数用センサ２８および賞球計数用センサ２９を設けたもので、この場合でも該通路７０を流下するパチンコ球を２つの球計数用センサによって同時に検出し得ることによる上記のような種々のメリットがある。
【００２９】
なお、取付枠５４の形態については方形状のほか、図１４に示したようにコ字状にすることで筒部に対する側方からの取付けを可能にすることもできる。またパチンコ球通過通路が２列以上である場合のように通路の横断面が長方形であるような場合は図１５に示したように、長方形状の取付枠５４の短辺に一対の投光器７５ａ，受光器７５ｂからなる球計数用センサを設けるとともに、長辺に投光器７６ａ，受光器７６ｂと投光器７７ａ，受光器７７ｂを並設し、これらの球計数用センサによってパチンコ球が検出されるようにしてもよい。
【００３０】
さらに、パチンコ球通過通路が２列以上である場合、図１６に示したように、コ字状の取付枠５４の両端辺に投光器７８ａ，受光器７８ｂと投光器７９ａ，受光器７９ｂを並設し、光軸８０，８１が平行に発せられ、通過パチンコ球が該光軸８０，８１をともの過ぎるように設定してもよい。また、図１７に示したように、コ字状の取付枠５４の両端辺に光軸８２，８３が交差するように投光器８４ａ，受光器８４ｂと投光器８５ａ，受光器８５ｂを並設しその両光軸８２，８３がともに通過パチンコ球を過ぎるようにしてもよい。なお、これらの例のように投光器と受光器との間隔が広くなった場合には、その受光器側のフォトセンサに信号を増幅するアンプを一体に内蔵させることで、受光光線の減衰を補うことができる。また、受信信号をデジタル変換するＡ−Ｄ変換器をも受光器側に内蔵させ、デジタル信号として制御基板に出力されるようにすることで、外部からのノイズ，外乱に対して強くなるとともに、制御基板側に増幅回路，信号変換回路等が不要になり、基板回路が簡略化されるのでコスト削減につながり得る。
【００３１】
またこの実施形態は払出球検出装置について説明したがパチンコ遊技機のセーフ球検出装置についても本発明のようにパチンコ球通過通路に少なくとも２つの球計数用センサを設けることでセーフ球の検知ミス，不正等を回避することができる。
【００３２】
【発明の効果】
以上説明したように本発明に係るパチンコ遊技機の払出球検出装置によれば、パチンコ球通過通路に設けた２つの球計数用センサによって通過するパチンコ球を同時に検出し得るので、何らかの原因で１つの球計数用センサがパチンコ球を検出不能になった場合に対処可能になるほか、誤検知や不正が防止され、また検査に際して賞球と貸球とが夫々別々に計数し得るようになり、さらには払い出しの高速化にも応えられるなど顕著な効果がある。
【図面の簡単な説明】
【図１】本発明に係るパチンコ遊技機の正面図。
【図２】本発明に係るパチンコ遊技機の裏面図。
【図３】本発明に係るパチンコ遊技機の球払出制御装置のブロック図。
【図４】本発明に係る球払出装置の縦断面図。
【図５】図４の要部拡大図。
【図６】図５のＡ−Ａ線断面図。
【図７】本発明に係る払出球検出装置の実施の形態を示す分解斜視図。
【図８】本発明に係るパチンコ遊技機の球払出システムを示すフローチャート。
【図９】本発明に係る球払出装置のモータの回転速度の変移図。
【図１０】本発明に係るパチンコ遊技機の球払出制御装置のフローチャート。
【図１１】本発明に係るパチンコ遊技機の球払出制御装置のフローチャート。
【図１２】本発明に係るパチンコ遊技機の球払出制御装置のフローチャート。
【図１３】本発明に係る球払出装置の他の実施形態を示した縦断面図。
【図１４】本発明に係る払出球検出装置の他の実施形態を示した平面図。
【図１５】本発明に係る払出球検出装置の他の実施形態を示した平面図。
【図１６】本発明に係る払出球検出装置の他の実施形態を示した平面図。
【図１７】本発明に係る払出球検出装置の他の実施形態を示した平面図。
【符号の説明】
１            遊技機本体
２            球貸出機
５            打球供給皿
７            カード挿入口
８            球貸出要求スイッチ
１６          球払出装置
１８          コントロール基板
２３          入賞球検出スイッチ
２４          球払出制御回路
２６          モータ
２７          払出ロータ
２８          貸球計数用センサ
２８ａ        投光器
２８ｂ        受光器
２９          賞球計数用センサ
２９ａ        投光器
２９ｂ        受光器
３０          入力切替手段
３１          センサ作動状態監視部
５１          パチンコ球通過通路
５４          取付枠
【図１】
0004478259.tif 000002
【図２】
0004478259.tif 000003
【図３】
0004478259.tif 000004
【図４】
0004478259.tif 000005
【図５】
0004478259.tif 000006
【図６】
0004478259.tif 000007
【図７】
0004478259.tif 000008
【図８】
0004478259.tif 000009
【図９】
0004478259.tif 000010
【図１０】
0004478259.tif 000011
【図１１】
0004478259.tif 000012
【図１２】
0004478259.tif 000013
【図１３】
0004478259.tif 000014
【図１４】
0004478259.tif 000015
【図１５】
0004478259.tif 000016
【図１６】
0004478259.tif 000017
【図１７】
0004478259.tif 000018